【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
ネットワークインターフェース装置を介してネットワークに接続され、当該ネットワーク上の外部装置と通信可能な情報処理装置であって、
前記外部装置とネゴシエートすることにより得られた前記ネットワークを介した通信に必要な情報を保持する保持手段と、前記情報処理装置を省電力モードに移行するための条件を満たしたことを検知する検知手段と、
前記検知手段が前記省電力モードに移行するための条件を満たしたことを検知した場合に、前記保持手段に保持されている情報を前記ネットワークインターフェース装置に通知する通知手段と、
を備えることを特徴とする情報処理装置。
【請求項２】
前記保持手段に保持されている情報が有効であるか否かを判定する判定手段を更に備え、
前記通知手段は、前記判定手段により前記保持手段に保持されている情報が有効であると判定された場合に、前記保持手段に保持されている情報を前記ネットワークインターフェース装置に通知することを特徴とする請求項１に記載の情報処理装置。
【請求項３】
前記情報処理装置が前記省電力モードから前記通常電力モードに復帰した後、前記通知手段により前記ネットワークインターフェース装置に通知された情報であって、当該ネットワークインターフェース装置が実行した前記外部装置との通信の結果に基づいて更新された情報を取得する取得手段と、
前記取得手段が取得した情報に基づいて、前記保持手段に保持されている情報を更新する更新手段を更に備えることを特徴とする請求項１または２に記載の情報処理装置。
【請求項４】
前記ネットワークを介した通信に必要な情報とは、ＩＰｓｅｃに基づく暗号化通信を実行する際に用いられる情報であることを特徴とする請求項１から３のいずれか１項に記載の情報処理装置。
【請求項５】
前記ネットワークを介した通信に必要な情報とは、８０２．１Ｘを用いた認証処理の結果として得られる認証情報であることを特徴とする請求項１から３のいずれか１項に記載の情報処理装置。
【請求項６】
情報処理装置とネットワークとの間に接続されるネットワークインターフェース装置であって、
前記情報処理装置が前記ネットワーク上の外部装置とネゴシエートすることにより得られた前記ネットワークを介した通信に必要な情報を、前記情報処理装置を省電力モードに移行する際に、前記情報処理装置から取得する取得手段と、
前記取得手段が取得した情報を用いて、前記外部装置との通信を行う通信手段と、
を備えることを特徴とするネットワークインターフェース装置。
【請求項７】
前記情報処理装置が前記省電力モードに移行しているときに、前記ネットワークから受信するパケットに対して前記情報処理装置の代わりに応答する応答手段と、
前記取得手段が取得した情報を用いて、前記ネットワークから受信するパケットを復号化する復号化手段と、
を更に備え、
前記応答手段は、前記復号化手段により復号化されたパケットに基づいて、前記応答を行うことを特徴とする請求項６に記載のネットワークインターフェース装置。
【請求項８】
前記ネットワークから受信したパケットに対する応答として前記応答手段が送信する送信パケットを、前記取得手段が取得した情報を用いて暗号化する暗号化手段を更に備えることを特徴とする請求項６または７に記載のネットワークインターフェース装置。
【請求項９】
前記取得手段が取得した情報が有効であるか否かを判断する判断手段と、
前記判断手段により前記取得手段が取得した情報が有効でないと判断された場合、前記ネットワークから受信したパケットを前記情報処理装置に転送する転送手段と、
を更に備えることを特徴とする請求項６から８のいずれか１項に記載のネットワークインターフェース装置。
【請求項１０】
ネットワークインターフェース装置を介してネットワークに接続され、当該ネットワーク上の外部装置と通信可能な情報処理装置の制御方法であって、前記情報処理装置を省電力モードに移行するための条件を満たしたことを検知する検知工程と、
前記検知工程で前記省電力モードに移行するための条件を満たしたことを検知した場合に、前記外部装置とネゴシエートすることにより得られた前記ネットワークを介した通信に必要な情報を、前記ネットワークインターフェース装置に通知する通知工程と、
を備えることを特徴とする情報処理装置の制御方法。
【請求項１１】
情報処理装置とネットワークとの間に接続されるネットワークインターフェース装置の制御方法であって、
前記情報処理装置が前記ネットワーク上の外部装置とネゴシエートすることにより得られた前記ネットワークを介した通信に必要な情報を、前記情報処理装置を省電力モードに移行する際に、前記情報処理装置から取得する取得工程と、
前記取得工程で取得した情報を用いて、前記外部装置との通信を行う通信工程と、
を備えることを特徴とするネットワークインターフェース装置の制御方法。
【請求項１２】
請求項１０に記載の情報処理装置の制御方法または請求項１１に記載のネットワークインターフェース装置の制御方法をコンピュータに実行させるためのプログラム。
【請求項１３】
ネットワークインターフェース装置および情報処理装置を備え、ネットワーク上の外部装置と通信可能な通信システムであって、
前記外部装置とネゴシエートすることにより得られた前記ネットワークを介した通信に必要な情報を保持する保持手段と、
前記情報処理装置を省電力モードに移行するための条件を満たしたことを検知する検知手段と、
前記検知手段が前記省電力モードに移行するための条件を満たしたことを検知した場合に、前記保持手段に保持されている情報を前記ネットワークインターフェース装置に通知する通知手段と、
前記通知手段により通知された情報を前記情報処理装置から取得する取得手段と、
前記省電力状態で、前記取得手段が取得した情報を用いて、前記外部装置との通信を行う通信手段と、
を備えることを特徴とする通信システム。
【手続補正２】
【補正対象書類名】明細書
【補正対象項目名】００１７
【補正方法】変更
【補正の内容】
【００１７】
上記の目的を達成するために本発明の情報処理装置は、ネットワークインターフェース装置を介してネットワークに接続され、当該ネットワーク上の外部装置と通信可能な情報処理装置であって、前記外部装置とネゴシエートすることにより得られた前記ネットワークを介した通信に必要な情報を保持する保持手段と、前記情報処理装置を省電力モードに移行するための条件を満たしたことを検知する検知手段と、前記検知手段が前記省電力モードに移行するための条件を満たしたことを検知した場合に、前記保持手段に保持されている情報を前記ネットワークインターフェース装置に通知する通知手段と、を備えることを特徴とする。
【手続補正３】
【補正対象書類名】明細書
【補正対象項目名】００１８
【補正方法】変更
【補正の内容】
【００１８】
また、本発明のネットワークインターフェース装置は、情報処理装置とネットワークとの間に接続されるネットワークインターフェース装置であって、前記情報処理装置が前記ネットワーク上の外部装置とネゴシエートすることにより得られた前記ネットワークを介した通信に必要な情報を、前記情報処理装置を省電力モードに移行する際に、前記情報処理装置から取得する取得手段と、前記取得手段が取得した情報を用いて、前記外部装置との通信を行う通信手段と、を備えることを特徴とする。